(57)【要約】【課題】構造と外観の点においてのパネル状の仕切り壁またはドアの要素を改良することである。【解決する手段】  特に、支持ローラ上に配置されたパネル状の仕切り壁またはドアの要素は、多方面に適用するフレーム（１０）を構成し、後者は、相互に連結された内枠、つまり、支持内枠（１１）および横内枠によって構成されている。内枠は、接着剤または粘着テープにより、隣接表面で、外側のパネルとがぴったりくっつくような目的で、安定化手段、つまり、中央にフィットするように１枚以上の安定化板（４０）と共に、設計されている。これらは内枠のガイド溝（２３）に差し込まれる。【選択図】図９
2009150211.tif 000002
【特許請求の範囲】
【請求項１】
少なくとも一つのフィラーパネルと、
深くドローイングされていたり、熱成型されて生産され輪郭を構成し、前記パネルを取り囲むフレーム（１０）とを備えた仕切り壁、ドア、窓の要素であって、
以下を特徴とする。
ａ）パネル（１５）は、隠れた接続要素、特に、接着剤や粘着テープ（１７）により、フレ−ム（１０）の空いている側の表面や隣接表面（１６）上で固定されている。
ｂ）内枠（１１、１２；１３、１４）は、正確な配置を保証するために、１以上の中央寄せ付け又は調節手段（３９、４０）によって、少なくとも接続又は結合位置領域で固定されている。
ｃ）中央寄せ付け又は調節手段（３９、４０）は、隣接する内枠（１１、１２：１３、１４）、及び／又は、フレーム（１０）のガイド溝（２３）に差し込まれている。
【請求項２】
請求項１に記載の要素において、
フレーム（１０）の少なくとも１つの側にフィットした外側パネルは、
ガラス、又は、それに似た金属のガラスパネル（１５）からなり、
前記ガラスパネル（１５）は、多成分の接着剤、特に既成の粘着テープ（１７）によって、内枠（１１〜１４）の空いていて、側部の隣接表面（１６）上で固定されていることを特徴とする要素。
【請求項３】
請求項１に記載の要素において、
中央寄せ付け又は調節手段は、板状に設計されており、特に、一方では、フレーム（１０）の頂部領域に、他方では、フレーム（１０）の底部領域で割り当てられた硬い安定化板（３９、４０）として構成され、
前記安定化板（３９、４０）は、フレーム（１０）の頂上横内枠（１３）の全体の長さを超えて延在しており、かつ、
直立の支持内枠（１１、１２）の高さ部分、又は長さを超えて延在していることを特徴とする要素。
【請求項４】
請求項３に記載の要素において、
相対的に正確に位置に位置している内枠（１１、１２；１３、１４）のガイド溝（２３）は、互いに接合し、特に、フレーム（１０）の内側の全ての周りに延在し、好ましくは、内枠（１１、１２；１３、１４）の中央に延在していることを特徴とする要素。
【請求項５】
請求項１に記載の要素において、
フレーム（１０）のすべての内枠（１１、１２；１３、１４）は、横方向に伸びた隣接表面（１６）を、好ましくは、内枠（１１、１２；１３、１４）のそれぞれ両側上で備え、
少なくとも一枚のガラスパネル（１５）、好ましくは、２枚のガラスパネル（１５）と接続するために、接着剤によって、内枠（１１、１２；１３、１４）のそれぞれの両側に延在していることを特徴とする要素。
【請求項６】
請求項１に記載の要素において、
フレーム（１０）の内枠、特に、直立の支持内枠（１１，１２）は、２枚の平行な側壁（１８）を備え、
前記側壁（１８）の外側は、ガラスパネル（１５）のために隣接表面（１６）が形成され、かつ、
前記側壁（１８）の内側は、脚（２２）と横断壁（２０）を備える、中央に走るガイド溝（２３） を形成していることを特徴とする要素。
【請求項７】
請求項１に記載の要素において、
フレーム（１０）の内枠、特に、直立支持内枠（１１，１２）、及び／又は、底辺の横内枠（１４）は、外側、及び／又は、底辺の境界領域に、
ガラスパネル（１５）を支える手段、特に、支持脚（２４、３０）を備えることを特徴とする要素。
【請求項８】
請求項７に記載の要素において、
支持脚（２４）は、特に、直立支持内枠（１１，１２）の領域で、
ガラスパネル（１５）の面積を超えて延在し、横方向の突出部を形成することを特徴とする要素。
【請求項９】
請求項１に記載要素において、
フレーム（１０）の底辺内枠、つまり横内枠（１４）は、
下方向に開いている比較的高い空洞体を備えて設計され、
それ故、横内枠（１４）の内部に、支持ローラ（２６）が内枠壁（２９）の間にくみこまれ、かつ、
ガイド溝（２３）は、平行な溝横木片（３３）により、終端壁（３４）上で形成されていることを特徴とする要素。
【請求項１０】
請求項1に記載要素において、
フレーム（１０）の頂上横内枠（１３）は、お互いに横木部（３６）により連結している２つの平行な側壁（３５）を構成し、
ガイド溝（２３） が内側に形成されていることを特徴とする要素。
【請求項１１】
請求項１に記載の要素において、
中央寄せ付け又調整手段は、特に木材か木を基本にした材料によって作られた安定化板（３９、４０）であることを特徴とする要素。
【請求項１２】
請求項８に記載の要素において、
機能的手段、特に、ハンドル（４３）は、直立支持内枠（１１，１２） の支持脚（２４）上に備えられていることを特徴とする要素。
【請求項１３】
請求項１に記載の要素において、
ガラスパネル（１５）、又は、複数のガラスパネル（１５）が、フレーム（１０）方向の内側に、粉砕できない手段、特に、全体表面を粉砕できない膜と共に備えられていることを特徴とする要素。
【請求項１４】
請求項１に記載の要素において、
中央寄せ付け又は調整手段は、フレーム（１０）の内側領域を満たしている、連続的な１枚の安定したパネルにより構成されることを特徴とする要素。
【発明の詳細な説明】
【技術分野】
【０００１】
この発明は、少なくとも一つのフィラーパネルとフレーム（外枠）を持った仕切り壁・ドア・窓のエレメント（要素）に関するものである。そのフレームは周辺を深くドローイング（引線）されていたり、熱成型された製品で型で作られたプロフィール（内枠）によって作られている。
【背景技術】
【０００２】
先行技術によると、ここで述べた要素は木製・木をベースと主成分とした物質・ガラス・金属・プラスッチクのようなもので作られた連続パネルである。そのパネルはフレームで囲まれている。フレーム状に型作られたプロフィール（内枠）にはパネルが差し込む周辺部位に溝がある。その内枠は直立な支持側面と上下の横切る構材で形成されている。要素が滑動機能を有していると設定されているとすれば、頂上と底の横切る構材にローラがあり、底と頂上のレールで移動できるものである。
【発明の概要】
【発明が解決しようとする課題】
【０００３】
この発明の目的は構造と外観の点において上記の類型の要素を改良するものである。
【課題を解決するための手段】
【０００４】
この目的を達成するための発明に関する要素は下記の特性に特徴付けられる。
ａ）パネルは、特に接着するといった、図示されていない接続方法によりフレ−ムの空いている側の表面と固定されている。
ｂ）プロフィール（内枠）は精密な位置決めにより固定されている。それは、一枚のまたはそれ以上の板状の中央寄せ付け、調節方法により、接続又は接合位置の領域において固定されている。
ｃ）中央寄せ付け又は調節手段は隣りあう内枠のガイド溝に差し込まれている。
【０００５】
ここにおける要素の特徴は、先ず例にあげると、パネル、ガラスやそれに似た金属から成るパネルであり、内枠の外側に留められている。その留め方は横方向ねじ等の接続方法で作られているものを使用することなく、もっぱら接着剤だけによる。フレームの強度を改良するため、要素の集合体間のフレームを確実にするために、一つ以上の方法がフレーム内に位置付けられている。少なく見積もっても内枠の角に接合位置部分が形成されている。それは同様に直線的に又確実にすることを目的としているものである。内枠は中央寄せ付けや調節方法とする差し込む溝がある。板状にすることにより、優先的にフレームの底と頂上にぴたり適合しているが、フレームを充填している連続的なパネルとして設計されているのである。
【０００６】
フレーム状に形成された内枠は特別の方法で設計されている。（ガラス）パネルを装着する、好ましくは、両面のフレームにパネルを装着するためには、内枠脚が滑らかな外側または横表面に形成されている。それによりガラス粘着片による粘着剤によって留められるのである。内枠は少なくとも一つの横方向付けられた脚、できれば二本の横方向付けられた脚の空いている周辺上に形成されている。その脚はガラスパネルの空いている周辺の支柱または橋台となっている。内枠の横木片は、このように設計されているため、中央溝が調節や正確にする方法として取り扱いやすくなるのである。
【０００７】
本発明の更なる特別の特徴は、図面を参照して下記に詳細に説明する。
【図面の簡単な説明】
【０００８】
【図１】個々の部品を備えた（ドア）要素の透視図を示している。
【図２】壁要素の概略視図を示している。
【図３】拡大図で、図２ＩＩＩの詳細を示している。
【図４】拡大図で、図２ＩＶの詳細を示している。
【図５】壁要素の概略図を示している。
【図６】拡大図で、図５のＶＩ−ＶＩの断面図を示している。
【図７】拡大図で、図５のＶＩＩ−ＶＩＩの断面図を示している。
【図８】さらなる要素の概略図を示している。
【図９】拡大図で、図８のＩＸ−ＩＸ部分の詳細を示している。
【図１０】フレーム頂上部の透視図を示している。
【発明を実施するための形態】
【０００９】
図面に描かれている要素の実施例は引き戸としても知られている、取り外し可能なドアを形成している。ドアの要素は、万能であり、内枠や内枠の一部からなる囲まれたフレーム１０から成り立っている。フレーム１０は直立支持や内枠支持部１１、１２、横方向構成材又は、横内枠１３．１４から構成されている。１１から１４の内枠は空洞の内枠であり、すなわち押し出し金属やプラスチック内枠である。一方では直立内枠１１、１２は、他方、横断内枠１３、１４はフレーム角にて共にぴったり適合し、お互いに連結している。ここでの実施例においては支持内枠１１、１２はフレーム１０を上回って高く広げることができる。横内枠１３、１４は支持内枠１１、１２の間に装着されていて、支え内枠の端部で、底と頂部とぶつかり合い、お互いに繋がっている。
【００１０】
フレーム１０は少なくとも一つの要素パネルで運べる構造である。それはフレームの全体より拡大できるのである。要素パネルは、好ましくは、ガラスパネル１５が好ましい。一つの特徴は要素の配置やフレーム１０上のガラスパネル１５にある。後者はすくなくとも１つの側に、ここでは両面上ではあるが、全ての方向にも延在する平面隣接表面１６を備えている。それはお互いに一列に並んでおり、要素やガラスパネル１５に用いられる。従って、ガラスパネル１５はフレーム１０の外側や内枠１１〜１４の外側に突き当たり、見えない方法で連結されている。特に、ガラスパネル１５は接着剤によりフレーム１０にしっかり固定されている。それは少なくとも選択された内枠部の領域にであるが、好ましくは、すべての方向に固定される。従って、ガラスパネル１５はフレーム１０と同じ面積になるのである。
【００１１】
一つの特徴はガラスパネル１５をフレーム１０に付けるために、接着性の細長い切れ、又は、粘着テープ１７を使用するところにある。両面粘着テープ１７は、３Ｍ社の４６１３が好ましいが、ガラスパネル１５が内枠１１〜１４の隣接表面１６にフィットするように利用されている。万能であり、粘着テープ１７で作られて囲まれたフレームは、好ましく作成されており（図１）、切れ目のない粘着剤がより効果がある。この場合、ガラスパネル１５は、耐久性のある接合のためフレーム部分に粘着テープ１７に対して圧力を加わえられる。
【００１２】
このガラスパネルは粉々に割れない方法、特に１つ側でフィットしている粉々に割れない膜（図示せず）を提供している。この膜は内側に位置しており、つまりフレーム１０の方向に位置している。耐久的接着剤の効果的連結を生じさせるため、隣接表面１６と、下地塗り、特に３Ｍ社の下地塗り９４で下地塗りされたガラスパネル１５の細長い切れのような周辺部分の両方に用いることが好ましい。
【００１３】
フレーム１０や内枠１１〜１４は装着する目的で特別な方法で型作られている。直立内枠すなわち支持内枠１１、１２はお互いに一致するように設計されている。横内枠１３、１４は、形状と寸法の点で、支持内枠１１、１２とは異なっている。実施例が示されているように、内枠１１〜１４は扱いやすい２枚のガラスパネル１５と噛み合っている。つまりフレーム１０の両側に一枚ごとのガラスパネル１５と噛み合っている。
【００１４】
直立の支持内枠１１、１２は基礎的または標準的な内枠（図９）から構成されている。内枠の側壁１８は敷居の溝のような空洞１９と接している。それは内側の横壁２０や周辺の外壁２１により結合している。側壁１８は、中央のＵ字型ガイド溝２３の横からの境界線として、脚２２形作るために、内側に横壁２０を超え広がっている。後者は支持内枠１１、１２の全体の長さを超えて広がっており、横内枠１３、１４の領域に続いている。
【００１５】
外側壁２１はある様式で設計されている。つまり、外側壁２１は、側壁１８を超えて支持脚２４を形つくるために横方向に広がっている。支持脚２４は少なくとも片一方に配置されているが、ここでの実施例の場合では両面側に形作っている。この支持脚は要素やガラスパネル１５の止めとしてや隣接部としてある。それは関連している支持脚２４に対して耐えうる。支持脚２４は寸法が決まっているので、ガラスパネル１５の平面を超えて張り出し、ガラスパネル１５の先端保護を形成している。更に、支持脚２４は溝２５が備え付けられている。後者は側壁１８に隣接して配置され、ガラスパネル１５の隣接部のために支持脚２４の周辺上昇を生じさせる。支持脚２４に寸法決めにより形成された内枠の張り出しは、ガラスパネル１５のあらゆる周辺部の先端保護を可能としている。更に、ドアの機能的手段として、たとえばハンドル４３を支持脚２４に装着できる。
【００１６】
本発明の実施例であるドアや仕切り壁要素はローラによって移動できる。底辺のローラ、すなわち支持ローラ２６は、底辺を走るレール（図示せず）上で移動できる。要素は２箇所に間隔を開けた支持ローラ２６がある。支持ローラ２６は、直立支持内枠１１、１２から少し離れて、回転可能な方法、又は、底の横内枠１４に取り付けられている。
【００１７】
ガイドローラ２７、２８は頂部、つまり、上の横内枠１３の領域、及び／又は、支持内枠１１、１２の上部端部に取り付けられている。これらガイドローラ２７、２８は一組でそばに設置されおり、回転軸を持ち、横方向に支え、及び／又は、頂上のレール（図示せず）に要素を誘導しており、頂上のレールは建物の天井に取り付けることも可能である。
【００１８】
底辺のフレーム内枠、すなわち横内枠１４は、特別な方法、すなわち、その内枠は下向きに直立内枠壁２９のため開いていて−支持内枠１１、１２の側壁に類似しているが、底辺周辺に沿って、ガラスパネル１５の横方向に向きをつけた支持脚３０を形成している。支持脚３０はガラスパネル１５の幅より小さい面積や幅を持っている。横内枠１４の寸法が、支持ローラ２６が、内枠壁２９の間を、下向きに開いている横内枠１４中で、ローラ持ち支え方３１の方法で収容するように、選択されている。支持ローラ２６、及び／又は、ローラ持ち支え３１は、支持ローラ２６が、ほとんどの部分で、横内枠１４の内に取り付けらるように配置されている。移動可能で、つまり、特に旋回できる、ローラ持ち支え３１は横断面でU字型であり、全体として周知の構造である。
【００１９】
頂上部または内側領域では、横内枠１４は、完全に丸い円形内枠３２がある。後者は横方向に連結した要素であり、例えば、螺旋状に、支持内枠１１、１２を貫通しており、複数の内枠を連結する目的のために、円形内枠３２にしっかり固定されている。
【００２０】
横内枠１４の場合、中央に配置されたガイド溝２３は直立または内側方向の溝横木片３３で形成されている。それは終端壁３４の内側や最上部にぴったり適合されて円形内枠３２で調整しているのである。この横内枠１４では、粘着テープ１７が内枠壁２９の上部または内側にぴったりくっついている。
【００２１】
頂上の横断内枠１３はある方法で同様に設計されており、中央のおおよそ途中までやそれ以上又はそれ以下のところでぴったりくっついている横木部３６を持った２側面壁３５を備えている。この横渡し片はガイド溝２３と境を接している。ガイド溝２３は内側および下方向に空いている。更に、ガイド溝２３の反対側の円形内枠３２が、底辺の横内枠１４と同様に、横木部３６にぴったり適合している。横内枠１３は上方向および外側に伸びている。
【００２２】
ガイドローラ２７、２８は正確な位置に配置するため、ローラホルダ３７上にくっついている。ローラホルダ３７は要素の上、及び／又は、横内枠１３上を横に伸びている。２つのガイドローラ２７、２８は隣同士に位置付けられており、ローラホルダ３７の上で直立回転軸に取り付けられている。ローラホルダ３７の左右に配置された直立の連結脚はフレーム１０や横内枠１３に周知の方法で連結されている。
【００２３】
固定手段は、外側パネルを固定するため、つまりガラスパネル１５がフレーム１０からずり落ちないようにするため、横内枠１３の頂上域でぴったりとくっついている。（接着剤の不適合時）。この目的のため、本発明の実施例では固定構成部品３８は横内枠１３にぴったりくっついている。この固定構成部品は横に伸びた橋渡し片と横に伸びた脚や角度をつけた部分４２から構成されている。それらは終端に配置されており、ガラスパネル１５の外側周辺域を囲んでいる。特に、断面のＵ字型をした固定構成部品３８は、好ましくは、金属薄板やそのようなもので構成されており、横内枠１３の頂上側に連結されている。ここでの実施例では固定構成部品３８は、カイドローラ２７、２８のために、ローラホルダー３７領域、つまり、このホルダーの下に配置されている。固定構成部品３８はフレーム１０上に、他の付加的連結方法なしで、ローラホルダー３７によって、すなわち突き出したリベットのようなものによって固定されている。代案として、固定構成部品３８がローラホルダー３７に独立してくっつくこともできる。極端に言えば、固定構成部品３８が横内枠13の全長より超えて延在することも可能である。角度をつけた部分４２は小面積であるので外面から見ることはできない（頂上のガイドレールの中にあるので）。
【００２４】
重要な特徴は要素を安定化させ、フレーム１０を一直線にするための補助手段を構成していることである。それは、特に、組み立て工程の間である。あらゆる点で、正確に調節されたガイド溝２３は、中央に走る左右対称の内枠において、この目的のために備えられている。一直線に隣接するための手段、相互に連結する内枠はこのガイド溝２３に差し込まれている。これらの方法は、ここでは、板状の要素であり、つまり、安定化板３９、４０のことである。フレーム１０の頂上部と底辺部の各領域において、安定化板３９、４０が割り当てられている。安定化板３９、４０は、従って、複数の内枠各々の頂上や底辺の角を一直線に並べ、且つお互い関連する位置で同じく固定させているのである。
【００２５】
このような又同じような安定化手段は重要である。特に要素を組み立てるために、外側にフィットしたガラスパネル１５は、フレーム１０は固定されているため（十分な範囲において）保証することができない。安定化板３９、４０は、また粘着テープ１７のために複数の隣接している内枠の隣接表面１６を一直線にしている。更に、全体として、要素の安定化は、安定化板３９、４０によって隠されている内部によって増加しているが、連続したフレーム１０の内側領域を占めている連続的な一枚のパネルを使用することも可能である。内枠が同様に設計されているので、安定化板３９、４０は外側のパネルやパネル１５から離れた場所に配置されており、そして、安定した３次元の重さを支える構造が形成されている。ガイド溝２３は支持肋材４１を含み、安定化板３９、４０を中央によせている。
【００２６】
固定、及び／又は、安定化する手段が他のやり方で設計されている。例えば、フレーム１０の角部分での小さな三角形のプレートの要素である（図１０）。代案として、たとえば金属からなるある角度に曲げた手段で作られた形であり、ガイド溝２３の中だけでフレームの角の領域でフィットする部分として位置づけられている。これらの手段は重要であるので、要素の組み立てには、固定手段は、要素が完成されていたところの要素から一度に取り除かれることが可能である。
【符号の説明】
【００２７】
１０  フレーム
１１  支持内枠
１２  支持内枠
１３  横内枠
１４  横内枠
１５  ガラスパネル
１６  隣接表面
１７  粘着テープ
１８  側壁
１９  空洞
２０  横壁
２１  外側壁
２２  脚
２３  ガイド溝（合わせ溝）
２４  支持脚
２５  溝
２６  支持ローラ
２７  ガイドローラ
２８  ガイドローラ
２９  内枠壁
３０  脚支え
３１  ローラ持ち支え
３２  円形内枠
３３  溝横木片
３４  終端壁
３５  側壁
３６  横木部
３７  ローラホルダー
３８  固定構成部品
３９  安定化板
４０  安定化板
４１  肋材支え
４２  曲がった部分
４３  ハンドル
【図１】
2009150211.tif 000003
【図２】
2009150211.tif 000004
【図３】
2009150211.tif 000005
【図４】
2009150211.tif 000006
【図５】
2009150211.tif 000007
【図６】
2009150211.tif 000008
【図７】
2009150211.tif 000009
【図８】
2009150211.tif 000010
【図９】
2009150211.tif 000011
【図１０】
2009150211.tif 000012
【外国語明細書】
2009150211000001.pdf